(57)【要約】【課題】  カーペットの布設を行う際に、カーペットの縁辺部の固定を容易に行えるカーペット固定具を提供すること。【解決手段】  カーペット固定具１０は、布設するカーペット１９７を巾木１９０、つまり、壁面側に引っ張りながら、カーペット１９７の縁辺部の近傍部を第１の側壁部２０と第２の側壁部３０とに押し込むと、テンションがかかっているカーペット１９７が縮むときに第１の突起部２２などにカーペット１９７の裏面側が引っ掛かり、これによってカーペット１９７をしっかり固定することができる。また、カーペット固定具１０は、巾木１９０から最も離れたところにある第１の突起部２２などにカーペットの裏面側を引っ掛ければよいので、従来技術に係るカーペット固定具よりもカーペットの縁辺部を固定する際の作業スペースをより大きく確保することができる。【選択図】  図１
2018033490.tif 000002
【特許請求の範囲】
【請求項１】
略矩形板状に形成されると共に、長手方向の第１及び第２の縁辺部が壁面に沿うように、かつ、該第２の縁辺部が壁面に近くなるように配置されている状態で床面に固定される基板部と、
前記基板部の前記第１の縁辺部又はその近傍部から垂直又はほぼ垂直に立ち上がるように形成されると共に、上端部に前記第２の縁辺部側に傾斜して立ち上がる、若しくは、前記第２の側壁部側に向かってほぼ水平に突出する第１の突起部が形成された第１の側壁部、又は、前記基板部の前記第１の縁辺部又はその近傍部から前記第２の縁辺部側に傾斜して突出するように形成された直付け突起部と、
前記基板部の前記第２の縁辺部又はその近傍部から垂直又はほぼ垂直に立ち上がるように形成されると共に、上端部に前記第１の縁辺部に対して背向するように、かつ、水平に、又は、やや下方に向かって突出する第２の突起部が形成された第２の側壁部を備えていることを特徴とするカーペット固定具。
【請求項２】
前記基板部と前記第１の側壁部又は前記第２の側壁部とは、前記基板部の長手方向と直交する方向に延在すると共に、前記基板部と前記第１の側壁部又は前記第２の側壁部に対して連続的に形成されたスリットによって分割されていることを特徴とする請求項１に記載のカーペット固定具。
【発明の詳細な説明】
【技術分野】
【０００１】
本発明は、カーペット固定具に関し、特に敷き込みカーペットを布設する際に適したカーペット固定具に関する。
【背景技術】
【０００２】
いわゆる敷き込みカーペットは、部屋の床面全体に固定されるカーペットである。敷き込みカーペットを布設する際に、カーペットの端部を容易に固定できる床面上に展開した後に、器具を使って四方に押し広げて、しわやたわみを解消する。その後に、四方の縁辺部を固定する。従来技術に係るカーペット固定具について説明する。
【０００３】
図１２は、従来技術に係るカーペット固定具の部分斜視図である。図１２において、２００はピン付きグリッパー、２０１は木質板、２０２はピン、２０３は釘である。また、図１３は、従来技術に係るカーペット固定具を用いたカーペットの布設手順を示す断面図である。図１３において、２０４はピンレスグリッパー、２０５は木質板、２０６は釘、２０７はフェルト下地材、２０８はカーペット、２１０は間隙であり、その他の符号は図１１と同じものを示す。
【０００４】
図１２及び図１３は、特開平０９−１０８０９１号公報に開示された発明である。カーペット固定具は、図１２に示すように、木質板２０１にピン２０２を設けたピン付きグリッパー２００と、ピン２０２がないピンレスグリッパー２０４との２種類を備えている。このカーペット固定具を用いたカーペットの布設手順は図１３に示す通りである。すなわち、（イ）に示すように、壁面が接する床面の縁辺領域にピン付きグリッパー２００を釘２０３で打ち付け、敷居と接する床面の縁辺領域にはピンレスグリッパー２０４を釘２０６で打ち付けておく。次に、（ロ）に示すように、床面にフェルト下地材２０７を敷いた後、カーペット２０８を敷く。そして、（ハ）に示すように、カーペット２０８の壁側の縁辺部をピン付きグリッパー２００のピン２０２に引っ掛けておく。さらに、カーペット２０８を図示していないニーキッカーによってカーペット２０８を引っ掛けた側と反対側（図１２では敷居側）に引っ張り、カーペット２０８の表面のしわを伸ばしながら、対向する側のピン付きグリッパー２００のピン２０２ に引っ掛ける。次に、（ニ）に示すように、ピンレスグリッパー２０４を設置したところについては、木質板２０１ の上面に接着剤２０９を付着させる。さらに、（ホ）に示すように、接着剤２０９にカーペットを押しつけてカーペット２０８を固定する。そして、さらにカーペット２０８の余剰部分をカッターやトリマーで切断し、最後にカーペットの縁辺部を間隙２１０に押し込む。
【０００５】
ところで、上述のような従来技術では、図１３の（ハ）に示す段階において作業者にとって負担が重い作業が発生していた。すなわち、作業者は、カーペットの縁辺部の一方を固定した後は、固定した側の縁辺部から反対側の縁辺部に向かってニーキッカーを膝で押しながら移動して、カーペットを押し伸ばし（熨し）てゆく。カーペットの反対側の縁辺部まで到達したら、カーペットに対してテンションをかけながらピン付きグリッパーのピンに引っ掛ける。引っ掛ける際には、余剰部分の切断作業中にピンからはずれたり、布設作業の後にカーペットにしわが寄ったりすることがないように、カーペットに強いテンションを加えながら引っ掛ける必要がある。これは、強いテンションを加えた状態で引っ掛けると、引っ掛けた後にカーペットが僅かに縮むので、ピンがカーペットに深く食い込んで外れにくくなることによる。
【０００６】
ところが、カーペットの縁辺部のすぐ後方に壁面が控えているので、強いテンションを加える作業を行いにくい。つまり、図１３に即して述べると、カーペット２０８に強いテンションを加える部位が敷居に沿った部分であるのならば、ピンレスグリッパー２０４と敷居を跨いで図示していない隣室に移動し、カーペット２０８を隣室からほぼ水平に引っ張れることができる。カーペット２０８を隣室から引っ張れるのであれば、カーペットに強いテンションを加えるも非常に容易である。しかし、作業者の目前に壁面が迫っている場合には、ニーキッカーでカーペットを強く押し伸ばしながら、手作業でカーペットの縁辺部をピンに引っ掛けることになる。言い換えると、壁面の手前の狭い作業スペースの中で、２つの作業を同時に行う必要があり、カーペットを隣室から引っ張る場合よりもかなり困難な作業となる。場合によっては、ストレッチャーなども使う必要があるので、作業手順も多くなる。
【先行技術文献】
【特許文献】
【０００７】
【特許文献１】特開平０９−１０８０９１号公報
【発明の概要】
【発明が解決しようとする課題】
【０００８】
本発明は、上述の課題を解決するために、カーペットの布設を行う際に、カーペットの縁辺部の固定を容易に行えるカーペット固定具を提供することを目的とする。
【課題を解決するための手段】
【０００９】
請求項１に記載の発明は、略矩形板状に形成されると共に、長手方向の第１及び第２の縁辺部が壁面に沿うように、かつ、該第２の縁辺部が壁面に近くなるように配置されている状態で床面に固定される基板部と、前記基板部の前記第１の縁辺部又はその近傍部から垂直又はほぼ垂直に立ち上がるように形成されると共に、上端部に前記第２の縁辺部側に傾斜して立ち上がる、若しくは、前記第２の側壁部側に向かってほぼ水平に突出する第１の突起部が形成された第１の側壁部、又は、前記基板部の前記第１の縁辺部又はその近傍部から前記第２の縁辺部側に傾斜して突出するように形成された直付け突起部と、前記基板部の前記第２の縁辺部又はその近傍部から垂直又はほぼ垂直に立ち上がるように形成されると共に、上端部に前記第１の縁辺部に対して背向するように、かつ、水平に、又は、やや下方に向かって突出する第２の突起部が形成された第２の側壁部を備えていることを特徴とするカーペット固定具である。
【００１０】
請求項２に記載の発明は、請求項１に記載の発明において、前記基板部と前記第１の側壁部又は前記第２の側壁部とは、前記基板部の長手方向と直交する方向に延在すると共に、前記基板部と前記第１の側壁部又は前記第２の側壁部に対して連続的に形成されたスリットによって分割されていることを特徴とするカーペット固定具である。
【発明の効果】
【００１１】
請求項１に記載の発明によれば、布設するカーペットを壁面側に引っ張りながら、カーペットの縁辺部の近傍部を第１の側壁部又は直付け突起部と第２の側壁部とに押し込むと、テンションがかかっているカーペットが縮むときに第１の突起部にカーペットの裏面側が引っ掛かり、これによってカーペットをしっかり固定することができる。すなわち、カーペットを第１の突起部又は直付け突起部に引っ掛ける際に加える力は鉛直下方又はこれに近い方向の力であるので、カーペットに対して壁面方向に強い力を加えなければならない従来技術に係るカーペット固定具よりもカーペットを容易に固定することが可能である。第１の突起部を設けた第１の側壁部又は直付け突起部は、第２の側壁部よりも壁面から遠いところに位置しているので、従来技術に係るカーペット固定具よりも壁面から遠い位置でカーペットを固定することができる。つまり、従来技術に係るカーペット固定具よりもカーペットの縁辺部を固定する際の作業スペースをより大きく確保することができる。
【００１２】
請求項２に記載の発明によれば、第１の側壁部と第２の側壁部とのうちスリットを形成していない側の側壁部を所定の形状に曲げることによって、カーペット固定具を柱の周側面などの曲面に沿って設けることができる。
【図面の簡単な説明】
【００１３】
【図１】本発明の第１の実施の形態に係るカーペット固定具の部分斜視図である。
【図２】本発明の第１の実施の形態に係るカーペット固定具を示し、（ａ）は平面図、（ｂ）は正面図、（ｃ）は拡大右側面図、（ｄ）は第１の突起部の変形例を示す部分拡大右側面図、（ｅ）は基板部の変形例を示す拡大右側面図である。
【図３】本発明の第１の形態に係るカーペット固定具を用いたカーペットの布設手順を示すＡ−Ａ断面図（１）である。
【図４】本発明の第１の形態に係るカーペット固定具を用いたカーペットの布設手順を示すＡ−Ａ断面図（２）である。
【図５】本発明の第１の形態に係るカーペット固定具を用いたカーペットの布設手順を示すＡ−Ａ断面図（３）である。
【図６】本発明の第２の実施の形態に係るカーペット固定具を示し、（ａ）は平面図、（ｂ）は正面図である。
【図７】本発明の第２の実施の形態に係るカーペット固定具の固定状態を示す平面図である。
【図８】本発明の第３の実施の形態に係るカーペット固定具を示し、（ａ）は平面図、（ｂ）は正面図、（ｃ）はスリットの変形例を示す平面図である。
【図９】本発明の第３の実施の形態に係るカーペット固定具の固定状態を示す平面図である。
【図１０】本発明の第４の実施の形態に係るカーペット固定具を示し、（ａ）は平面図、（ｂ）は正面図、（ｃ）は拡大右側面図である。
【図１１】本発明の第５の実施の形態に係るカーペット固定具を示し、（ａ）は平面図、（ｂ）は正面図、（ｃ）は拡大右側面図である。
【図１２】従来技術に係るカーペット固定具の部分斜視図である。
【図１３】従来技術に係るカーペット固定具を用いたカーペットの布設手順を示す断面図である。
【発明を実施するための形態】
【００１４】
本発明の第１の実施の形態に係るカーペット固定具について説明する。図１は、本発明の第１の実施の形態に係るカーペット固定具の部分斜視図である。図１において、１０はカーペット固定具、２０は第１の側壁部、２１及び２２は第１の突起部、３０は第２の側壁部、３１、３２及び３３は第２の突起部、４０は基板部、４１及び４２は開口部である。また、図２は、本発明の第１の実施の形態に係るカーペット固定具を示し、（ａ）は平面図、（ｂ）は正面図、（ｃ）は拡大右側面図、（ｄ）は第１の突起部の変形例を示す部分拡大右側面図、（ｅ）は基板部の変形例を示す拡大右側面図である。図２において、２３、２４、２５、２６及び２９は第１の突起部、３４、３５及び３６は第２の突起部、４３、４４、４５及び４６は開口部、４７は基板部であり、その他の符号は図１と同じものを示す。
【００１５】
図１に示すように、本発明の第１の実施の形態に係るカーペット固定具１０は、基板部４０の長手方向に平行な２つの縁辺部、つまり、長辺となる第１の縁辺部から第１の側壁部２０が垂直に立ち上がり、同じく長辺となる第２の縁辺部から第２の側壁部３０とがそれぞれ垂直に立ち上がっており、全体としてＵ字溝のような溝状の外観を呈している。なお、基板部４０の長手方向の縁辺部にリブなどを設けるために、第１の側壁部２０と第２の側壁部３０とのいずれか一方、又は、両方が縁辺部よりもやや内側の部位から立ち上がるように形成してもよい。また、カーペット固定具１０は、図２（ａ）において、第２の側壁部３０の上方に壁面が位置するように、かつ、第２の側壁部３０が壁面に沿うように床面上に固定される。くわえて、基板部４０には、開口部４１及び４２や、図１では図示していない開口部が形成されている。また、第１の側壁部２０の上端部からは、第１の突起部２１及び２２や、図１では図示していない第１の突起部が突出している。さらに、第２の側壁部３０の上端部からは、第２の突起部３１、３２及び３３や、図１では図示していない第１の突起部が突出している。また、カーペット固定具１０の材料は、カーペットを固定する上で必要な剛性を確保する点から、ステンレス鋼やアルミニウム合金が好適であるが、特に特定の材料に限定されるものではない。
【００１６】
続けて、この実施の形態に係るカーペット固定具１０の各部について詳細に説明する。図２（ａ）に示すように、基板部４０は、カーペットを布設する部屋の床面に固定される部分あり、帯状に長い略長方形状に形成されている。長手（長辺）方向における長さは、一般的には３００〜５００ｍｍ程度となるが、特に長さに制限はない。例えば、広い部屋で利用することを前提とするのであれば２０００ｍｍとしてもよく、屋内設置物の隙間などで利用する場合は１００ｍｍとしてもよい。また、短辺（奥行）方向における長さは１０〜３０ｍｍ程度が好ましく、この実施の形態では１５ｍｍとしている。基板部４０は、固定用の開口部４１、４２、４３、４４、４５及び４６が形成されている。なお、中間部の開口部は、作図上の理由から省略している。開口部４１、４２、４３、４４、４５及び４６は、図示していない床下地材に釘を打ち込む、又は、ネジをねじ込むための開口部であり、釘等の形に合わせた径に形成されている。開口部４１、４２、４３、４４、４５及び４６の間隔は、第１の突起部２１、２２、２３、２４、２５及び２６、並びに、第２の突起部３１、３２、３３、３４、３５及び３６と同一の間隔で形成されているが、床下地材の種類等に応じてこれらの突起部と異なる間隔に形成してもよい。なお、開口部４１、４２、４３、４４、４５及び４６の間隔は、一般的には２０〜５０ｍｍ程度となる。開口部４１等の形状は、円形に限られるものではない。
【００１７】
第１の側壁部２０は、図２（ａ）及び（ｃ）に示すように、カーペット固定具１０を設置した状態において基板部４０の手前側、つまり、壁面から遠い側に位置する長手方向の縁辺部（第１の縁辺部）から垂直に立ち上がっており、長手方向において基板部４０と同じ長さを持つ。全体としては、図２（ｂ）に示すように、水平方向に長い略長方形状に形成されている。また、第１の側壁部２０は、基板部４０から４〜１０ｍｍ程度立ち上がるように形成されているが、立ち上がる高さは布設するカーペットの厚さ等に応じて適宜変更することが可能である。さらに、第１の側壁部２０の上端部には、第１の突起部２１、２２、２３、２４、２５及び２６が形成されている。なお、中間部の第１の突起部は、作図上の理由から省略している。第１の突起部２１、２２、２３、２４、２５及び２６は、基板部４０の長手方向において、開口部４１、４２、４３、４４、４５及び４６と同じ間隔で、かつ、同じ部位に位置するように形成されている。くわえて、これらの第１の突起部は、図２（ａ）及び（ｂ）に示すように、すべて同じ形状の鋭角三角形に形成されており、さらに図２（ｃ）に示すように、基板部４０の第２の縁辺部側、つまり第２の側壁部３０側に傾斜するように斜め上方に突出している。第１の突起部２１、２２、２３、２４、２５及び２６をこのような形状に形成することによって、後述する手順において、第１の側壁部２０と第２の側壁部３０との間に押し込んだカーペットが確実に引っ掛かるようにしている。また、引っ掛かったカーペットは、僅かに縮むことにより第１の突起部２１、２２、２３、２４、２５及び２６の先端部が深く食い込んで確実に保持される。なお、カーペット固定具１０を壁面ではなく敷居の手前に配置する場合には、図２（ｄ）の第１の突起部２９に示すように、第２の側壁部３０側に深く傾斜させることも可能であり、第２の側壁部３０側に向かって水平に突出するようにさせることも可能である。また、布設するカーペットが薄い場合には、図２（ｅ）の基板部４７に示すように、短辺（奥行）方向における長さをさらに短くすることも可能である。
【００１８】
第２の側壁部３０は、図２（ａ）及び（ｃ）に示すように、カーペット固定具１０を設置した状態において基板部４０の壁面側、つまり、壁面に近い側に位置する長手方向の縁辺部（第２の縁辺部）から垂直に立ち上がっており、長手方向において基板部４０と同じ長さを持っている。さらに、全体として水平方向に長い略長方形状に形成されており、相対向する第１の側壁部２０と同じ形状及び大きさに形成されている。さらに、第２の側壁部３０の上端部には、第２の突起部３１、３２、３３、３４、３５及び３６が形成されている。なお、中間部の第２の突起部は、作図上の理由から省略している。第２の突起部３１、３２、３３、３４、３５及び３６は、基板部４０の長手方向において、開口部４１、４２、４３、４４、４５及び４６と同じ間隔で、かつ、同じ部位に位置するように形成されている。くわえて、これらの第２の突起部は、図２（ａ）及び（ｂ）に示すように、すべて同じ形状の鋭角三角形に形成されており、さらに図２（ｃ）に示すように、第１の側壁部２０（基板部４０の第１の縁辺部）に対して背向するように壁面側に向かって、かつ、水平よりもやや下方となる方向に向かって突出している。第２の突起部３１、３２、３３、３４、３５及び３６をこのような形状に形成することによって、後述する手順においてカーペットの縁辺部の近傍部を第２の側壁部３０と巾木の間に押し込んだときにカーペットが確実に引っ掛かるようにしている。また、布設したカーペットは、第２の突起部３１、３２、３３、３４、３５及び３６だけでなく、前述の第１の突起部２１、２２、２３、２４、２５及び２６によっても保持されているので、従来技術に係るカーペット固定具よりもカーペットを確実に保持することができる。なお、カーペット固定具１０を壁面ではなく敷居の手前に配置する場合には、第２の突起部３１、３２、３３、３４、３５及び３６を壁面側に向かって水平に突出させることも可能である。
【００１９】
さらに、本発明の第１の実施の形態に係るカーペット固定具１０の布設手順について説明する。図３は、本発明の第１の形態に係るカーペット固定具を用いたカーペットの布設手順を示すＡ−Ａ断面図（１）である。図３において、１９０は巾木、１９１は床部材、１９２は壁部材、１９３は上面、１９４は釘、１９５は間隙、１９６はフェルト下地材であり、その他の符号は図１と同じものを示す。また、図４は、本発明の第１の形態に係るカーペット固定具を用いたカーペットの布設手順を示すＡ−Ａ断面図（２）である。図４において、１９７はカーペットであり、その他の符号は図３と同じものを示す。さらに、図５は、本発明の第１の形態に係るカーペット固定具を用いたカーペットの布設手順を示すＡ−Ａ断面図（３）である。図４において用いた符号は、すべて図３と同じものを示す。なお、Ａ−Ａ断面以外の部位においても同様の布設手順となるので、Ａ−Ａ断面以外の部位においては省略する。
【００２０】
まず、図３（ａ）に示すように、壁部材１９２の下端部及び近傍部に貼り付けられた巾木１９０に対して所定の間隙１９５をおいてカーペット固定具１０を配置する。なお、間隙１９５は、布設するカーペットの厚さによって異なるが、図３においては、巾木１９０の表面から、第２の突起部３１、３２、３３、３４、３５及び３６の先端までの概ね５〜８ｍｍ程度の距離となる。また、図３乃至図５においては、巾木１９０表面が特許請求の範囲などで述べたところの壁面となるが、巾木１９０がない場合には、壁部材１９２など壁部材の表面が壁面となる。続けて、開口部４２や、開口部４１、４３、４４、４５及び４６を介して床部材１９１に釘１９４を打ち込んで、カーペット固定具１０を床部材１９１に対して固定する。同様に、図示していないが、カーペットを布設するために部屋の四方に配置している各カーペット固定具を固定する。
【００２１】
次に、図３（ｂ）に示すように、床部材１９１の上面１９３のカーペット固定具１０に囲まれた領域にフェルト下地材１９６を貼り付け、さらにフェルト下地材１９６植えにカーペット１９７を展開する。なお、カーペット布設後において、カーペット上を歩きやすくすることや、カーペットの表面が完全に平坦に見えるようにすることなどの各種の理由から、カーペット固定具１０の形状（凹凸）が布設後のカーペットの表面上に現れないようにするために、第１の側壁部２０と第２の側壁部３０との間に、帯状のフェルトやスポンジを配置しておいてもよい。さらに、図４（ｃ）に示すように、カーペット１９７によって部屋の四方に配置している各カーペット固定具が覆われるように正しい位置にカーペット１９７を移動する。次に、図示していないが、図４（ｃ）のカーペット固定具１０と相対向する位置にあるカーペット固定具の第１の側壁部と第２の側壁部との間に、カーペット１９７の縁辺部の近傍部を上から押し込む。続けて、図示していないニーキッカーなどを使って、カーペット１９７を図４（ｃ）のカーペット固定具１０側に向かって、つまり室内の反対側に向かって押し伸ばして行く。そして、図４（ｄ）に示すように、カーペット１９７にテンションがかかったままの状態において、第１の側壁部２０と第２の側壁部３０との間に、カーペット１９７の縁辺部の近傍部を矢印に示すように下に向かって押し込む。カーペット１９７の縁辺部の近傍部を上から押し込むと、第１の突起部２２やその他の第１の突起部にカーペット１９７の裏面側が引っ掛かる。さらに、カーペット１９７が縮むことから、第１の突起部２２などに対してカーペット１９７が食い込み、カーペット１９７がカーペット固定具１０によって確実に固定される。
【００２２】
さらに、図５（ｅ）に示すように、カーペット１９７の縁辺部の近傍部のうち、余剰部分を切断する。最後に、図５（ｆ）に示すように、カーペット１９７の縁辺部を間隙１９５にヘラなどで押し込む。カーペット１９７の縁辺部の近傍部が第２の突起部３２などに引っ掛かるので、カーペット１９７の縁辺部が間隙１９５から離脱することがほとんどない。なお、カーペット１９７は、四方の縁辺部の近傍部を第１の突起部２１、２２、２３、２４、２５及び２６によって引っ掛けると、強固に保持された状態になるので、カーペットの余剰部分の切断などの手順を適宜変更することも可能である。
【００２３】
以上のように、本発明の第１の実施の形態に係るカーペット固定具１０は、布設するカーペット１９７を巾木１９０、つまり、壁面側に引っ張りながら、カーペット１９７の縁辺部の近傍部を第１の側壁部２０と第２の側壁部３０とに押し込むと、テンションがかかっているカーペット１９７が縮むときに第１の突起部２２などにカーペット１９７の裏面側が引っ掛かり、これによってカーペット１９７をしっかり固定することができる。すなわち、カーペット１９７を第１の突起部２２などに引っ掛ける際に加える力は鉛直下方又はこれに近い方向の力であるので、カーペットに対して壁面方向に強い力を加えなければならない従来技術に係るカーペット固定具よりもカーペットを容易に固定することが可能である。言い換えると、従来技術に係るカーペット固定具では、基板部４０に相当する領域にピンを設けている。よって、カーペットをピンに引っ掛けるためには、カーペットの縁辺部の近傍部を巾木１９０に接する、あるいは、巾木１９０の間際まで引っ張り、カーペットに強いテンションをかけたままカーペットの裏面側にピンに食い込ませる必要がある。これに対して、本発明の第１の実施の形態に係るカーペット固定具１０は、巾木１９０から最も離れたところにある第１の突起部２２などにカーペットの裏面側を引っ掛ければよいので、従来技術に係るカーペット固定具よりもカーペットの縁辺部を固定する際の作業スペースをより大きく確保することができる。さらに、カーペットの縁辺部の近傍部を第２の突起部３２などに引っ掛ける際にも、カーペットの縁辺部を鉛直下方又はこれに近い方向に押せばよいので、カーペットの縁辺部の固定作業も非常に容易になる。
【００２４】
さらに、第１の突起部２１、２２、２３、２４、２５及び２６などと、第２の突起部３１、３２、３３、３４、３５及び３６などとの２つのグループの突起部によってカーペット１９７を保持するので、従来技術に係るカーペット固定具よりもカーペット１９７をしっかり固定することができる。第１の突起部２１、２２、２３、２４、２５及び２６などと、第２の突起部３１、３２、３３、３４、３５及び３６などとは、いずれも垂直上方に突出していないので、ハンマーによって簡単に下向きに折り曲げることができる。そこで、敷居などの近傍にある突起部をあらかじめ下向きに折り曲げておくことによって、カーペット１９７の布設完了後に敷居などを跨いだ者の足を傷付けることを防止することも可能である。さらに、カーペット固定具１０をステンレス鋼などの金属によって形成しているので、木材を利用した従来技術に係るカーペット固定具のように、結露等によって腐ったり、シロアリの食害を受けたりすることがない。
【００２５】
引き続いて、本発明の第２及び第３の実施の形態に係るカーペット固定具について説明する。図６は、本発明の第２の実施の形態に係るカーペット固定具を示し、（ａ）は平面図、（ｂ）は正面図である。図６において、１１はカーペット固定具、５０は第１の側壁部、５１、５２、５３、５４、５５及び５６は第１の突起部、６０は第２の側壁部、６１、６２、６３、６４、６５及び６６は第２の突起部、７０は基板部、７１、７２、７３、７４、７５及び７６は開口部、１１０、１１１、１１２及び１１３はスリットである。図７は、  本発明の第２の実施の形態に係るカーペット固定具の固定状態を示す平面図である。図７において、５７及び５８は第１の突起部、６７及び６８は第２の突起部、１１４及び１１５はスリット、１９８は巾木であり、その他の符号は図６と同じものを示す。さらに、図８は、本発明の第３の実施の形態に係るカーペット固定具を示し、（ａ）は平面図、（ｂ）は正面図、（ｃ）はスリットの変形例を示す平面図である。図８において、１２はカーペット固定具、８０は第１の側壁部、８１、８２、８３、８４、８５及び８６は第１の突起部、９０は第２の側壁部、９１、９２、９３、９４、９５及び９６は第２の突起部、１００は基板部、１０１、１０２、１０３、１０４、１０５及び１０６は開口部、１２０、１２１、１２２、１２３、１２６、１２７、１２８及び１２９はスリットである。くわえて、図９は、本発明の第３の実施の形態に係るカーペット固定具の固定状態を示す平面図である。図９において、８７及び８８は第１の突起部、９７及び９８は第２の突起部、１２４及び１２５はスリット、１９９は巾木であり、その他の符号は図８と同じものを示す。
【００２６】
本発明の第２の実施の形態に係るカーペット固定具１１は、図６（ａ）及び図７に示すように、基板部７０の長手方向に直交する方向に延在し、かつ、基板部７０と第２の側壁部６０とに対して連続的に形成されることによって、基板部７０と第２の側壁部６０とを複数の矩形板に分割しているスリット１１０、１１１、１１２、１１３、１１４及び１１５が形成されている。図６（ｂ）に示すように、第１の側壁部５０にはスリットが全く形成されていない。なお、第１の突起部５１、５２、５３、５４、５５、５６、５７及び５８、第２の突起部６１、６２、６３、６４、６５、６６、６７及び６８、並びに、開口部７１、７２、７３、７４、７５及び７６については、第１の実施の形態に係るカーペット固定具１０の対応する各部と同じ形状である。以上の構成によれば、図７に示すように、カーペット固定具１１は、巾木１９８、ひいては壁面が凹状に湾曲した曲面であるときに、巾木１９８の湾曲に沿うように第１の側壁部５０をあらかじめ曲げておくことによって、平坦でない壁面に対しても適用できる利点がある。
【００２７】
また、本発明の第３の実施の形態に係るカーペット固定具１２は、図８（ａ）及び図９に示すように、基板部１００の長手方向に直交する方向に延在し、かつ、基板部１００と第１の側壁部８０とに対して連続的に形成されることによって、基板部７０と第１の側壁部８０とを複数の矩形板に分割しているスリット１２０、１２１、１２２、１２３、１２４及び１２５が形成されている。他方、第２の側壁部９０にはスリットが全く形成されていない。なお、第１の突起部８１、８２、８３、８４、８５、８６、８７及び８８、第２の突起部９１、９２、９３、９４、９５、９６、９７及び９８、並びに、開口部１０１、１０２、１０３、１０４、１０５及び１０６については、第１の実施の形態に係るカーペット固定具１０の対応する各部と同じ形状である。以上の構成によれば、図９に示すように、カーペット固定具１２は、巾木１９９、ひいては壁面が凸状に湾曲した曲面であるときに、巾木１９９の湾曲に沿うように第２の側壁部９０をあらかじめ曲げておくことによって、平坦でない壁面に対しても適用できる利点がある。さらに、カーペット固定具１２は、直角又は直角に近い角度に折曲した出隅に対しても適応できるという利点もある。くわえて、カーペット固定具１１とカーペット固定具１２とは、帯状に長い第１の側壁部５０と第２の側壁部９０とを任意の曲率直径又は角度に曲げて使用することができ、カーペット固定具１０、カーペット固定具１１及びカーペット固定具１２の３種類のカーペット固定具があれば、様々な形状の壁面に対応可能となる。
【００２８】
なお、スリットは、例えば、第１の突起部８１と第１の突起部８２の間に形成し、次は、第１の突起部８４と第１の突起部８５との間に形成するなど、突起部に対して２つおきに形成する、３つおきに形成することも可能であり、２つおきと４つおきを混在させることなども可能である。さらに、図８（ｃ）に示すように、基板部１００と第１の側壁部８０に対して連続的に形成されたスリット１２６、１２７、１２８及び１２９において、基板部１００から第１の側壁部８０に向かって、つまり、基板部１００の第２の縁辺部から第１の縁辺部に向かって漸次幅が拡がるように形成すると、カーペット固定具１２をカーペット固定具１１と同じ方向を曲げる、つまり、壁面が凹状に湾曲した曲面にそって曲げることが可能となる。同様に、カーペット固定具１１についても、基板部７０と第２の側壁部６０とを複数の矩形板に分割しているスリットを基板部７０から第２の側壁部６０向かって、つまり、基板部７０の第１の縁辺部から第２の縁辺部に向かって漸次幅が広くなるように形成すると、壁面が凸状に湾曲した曲面にそって曲げることが可能となる。
【００２９】
本発明の第４の実施の形態に係るカーペット固定具について説明する。図１０は、本発明の第４の実施の形態に係るカーペット固定具を示し、（ａ）は平面図、（ｂ）は正面図、（ｃ）は拡大右側面図である。図１０において、１３はカーペット固定具、１３０は第１の側壁部、１３１、１３２、１３３、１３４、１３５及び１３６は第１の突起部、１４０は第２の側壁部、１４１、１４２、１４３、１４４、１４５及び１４６は第２の突起部、１５０は基板部、１５１、１５２、１５３、１５４、１５５及び１５６は開口部である。
【００３０】
図１０（ａ）及び（ｂ）に示すように、本発明の第４の実施の形態に係るカーペット固定具１３では、第１の構成部材１５０を第２の側壁部１４０の約半分の高さに形成している。したがって、第１の突起部１３１、１３２、１３３、１３４、１３５及び１３６は、第２の突起部１４１、１４２、１４３、１４４、１４５及び１４６よりも低いところに位置している。なお、開口部１５１、１５２、１５３、１５４、１５５及び１５６の形状及び配置は、カーペット固定具１０と同じものとなっている。
【００３１】
以上の構成によれば、第１の構成部材１５０が第２の側壁部１４０よりも低いので、第１の構成部材１５０と第２の側壁部１４０とで構成される溝がより浅いものとなり、カーペット布設後において、カーペット上を歩きやすくすることや、カーペットの表面が完全に平坦に見えるようにすることなどの各種の理由から、カーペット固定具１３の形状（凹凸）が布設後のカーペットの表面上に現れないようにしたい場合に非常に好適である。
【００３２】
さらに、本発明の第５の実施の形態に係るカーペット固定具について説明する。図１１は、本発明の第５の実施の形態に係るカーペット固定具を示し、（ａ）は平面図、（ｂ）は正面図、（ｃ）は拡大右側面図である。図１１において、１４はカーペット固定具、１６０は基板部、１６１、１６２、１６３、１６４、１６５及び１６６は直付け突起部、１７１、１７２、１７３、１７４、１７５及び１７６は開口部、１７８及び１７９はスリット、１８０は第２の側壁部、１８１、１８２、１８３、１８４、１８５及び１８６は第２の突起部である。
【００３３】
カーペット固定具１４は、第１の側壁部を設けずに、基板部１６０の第１の縁辺部から直接に突出した直付け突起部１６１、１６２、１６３、１６４、１６５及び１６６をもうけている点に特徴がある。直付け突起部１６１、１６２、１６３、１６４、１６５及び１６６は、他の実施の形態に係るカーペット固定具の第１の突起部よりも長く突出しており、さらに基板部１６０の第２の縁辺部側に向かって斜め上方に突出している。なお、第２の側壁部１８０と、第２の突起部１８１、１８２、１８３、１８４、１８５及び１８６との形状及び配置は、カーペット固定具１０と同じものとなっている。また、他の実施の形態に係るカーペット固定具と同様に、直付け突起部１６１、１６２、１６３、１６４、１６５及び１６６と、第２の側壁部１８０との間にカーペットの縁辺部の近傍部を矢印に示すように下に向かって押し込むことによって、カーペットを直付け突起部１６１、１６２、１６３、１６４、１６５及び１６６に引っ掛けることができる。よって、基板部１６０の第１の縁辺部から直付け突起部１６１、１６２、１６３、１６４、１６５及び１６６が直接突出しているので、完全な溝のような形状を有していないが、他の実施の形態に係るカーペット固定具と同様の手順で利用することが可能である。さらに、直付け突起部１６１、１６２、１６３、１６４、１６５及び１６６、並びに、第２の突起部１８１、１８２、１８３、１８４、１８５及び１８６に対して二つ置きとなるように、スリット１７８及び１７９、並びに、図１１に現れていないスリットを設けている。スリット１７８及び１７９、並びに、図１１に現れていないスリットは、基板部１６０の壁側の第２の縁辺部から手前側の第１の縁辺部に向かって漸次幅が拡がるように形成されている。なお、リット１７８及び１７９、並びに、図１１に現れていないスリットは、直付け突起部及び第２の突起部に対して一つ置きに設けてもよい。
【００３４】
以上の構成によれば、カーペット固定具１４は、完全な溝状の形状ではないので、カーペット上を歩きやすくすることや、カーペットの表面が完全に平坦に見えるようにすることなどの各種の理由から、カーペット固定具１４の形状（凹凸）が布設後のカーペットの表面上に現れないことが強く求められる場合に非常に好適である。なお、第１の側壁部を設けないことから、カーペットからの引っ張り応力に対して直付け突起部１６１、１６２、１６３、１６４、１６５及び１６６のみで対抗することになる。したがって、カーペット固定具に対してカーペットから強い引っ張り応力が作用するような場合には、他の実施の形態に係るカーペット固定具を用いることが望ましい。また、スリット１７８及び１７９を形成しているので、カーペット固定具１１及び１２と同様に、曲面状の壁面に沿って設置することが可能である。
【００３５】
本発明は以上に説明した内容に限定されるものではなく、例えばカーペット固定具を樹脂で形成するなど、各請求項に記載した範囲を逸脱しない限りにおいて種々のカーペット固定具に適用することが可能である。
【符号の説明】
【００３６】
１０    カーペット固定具
１１    カーペット固定具
１２    カーペット固定具
１３    カーペット固定具
１４    カーペット固定具
２０    第１の側壁部
２１    第１の突起部
２２    第１の突起部
２３    第１の突起部
２４    第１の突起部
２５    第１の突起部
２６    第１の突起部
２９    第１の突起部
３０    第２の側壁部
３１    第２の突起部
３２    第２の突起部
３３    第２の突起部
３４    第２の突起部
３５    第２の突起部
３６    第２の突起部
４０    基板部
４１    開口部
４２    開口部
４３    開口部
４４    開口部
４５    開口部
４６    開口部
４７    基板部
５０    第１の側壁部
５１    第１の突起部
５２    第１の突起部
５３    第１の突起部
５４    第１の突起部
５５    第１の突起部
５６    第１の突起部
５７    第１の突起部
５８    第１の突起部
６０    第２の側壁部
６１    第２の突起部
６２    第２の突起部
６３    第２の突起部
６４    第２の突起部
６５    第２の突起部
６６    第２の突起部
６７    第２の突起部
６８    第２の突起部
７０    基板部
７１    開口部
７２    開口部
７３    開口部
７４    開口部
７５    開口部
７６    開口部
８０    第１の側壁部
８１    第１の突起部
８２    第１の突起部
８３    第１の突起部
８４    第１の突起部
８５    第１の突起部
８６    第１の突起部
８７    第１の突起部
８８    第１の突起部
９０    第２の側壁部
９１    第２の突起部
９２    第２の突起部
９３    第２の突起部
９４    第２の突起部
９５    第２の突起部
９６    第２の突起部
９７    第２の突起部
９８    第２の突起部
１００  基板部
１０１  開口部
１０２  開口部
１０３  開口部
１０４  開口部
１０５  開口部
１０６  開口部
１１０  スリット
１１１  スリット
１１２  スリット
１１３  スリット
１１４  スリット
１１５  スリット
１２０  スリット
１２１  スリット
１２２  スリット
１２３  スリット
１２４  スリット
１２５  スリット
１２６  スリット
１２７  スリット
１２８  スリット
１２９  スリット
１３０  第１の側壁部
１３１  第１の突起部
１３２  第１の突起部
１３３  第１の突起部
１３４  第１の突起部
１３５  第１の突起部
１３６  第１の突起部
１４０  第２の側壁部
１４１  第２の突起部
１４２  第２の突起部
１４３  第２の突起部
１４４  第２の突起部
１４５  第２の突起部
１４６  第２の突起部
１５０  基板部
１５１  開口部
１５２  開口部
１５３  開口部
１５４  開口部
１５５  開口部
１５６  開口部
１６０  基板部
１６１  直付け突起部
１６２  直付け突起部
１６３  直付け突起部
１６４  直付け突起部
１６５  直付け突起部
１６６  直付け突起部
１７１  開口部
１７２  開口部
１７３  開口部
１７４  開口部
１７５  開口部
１７６  開口部
１７８  スリット
１７９  スリット
１８０  第２の側壁部
１８１  第２の突起部
１８２  第２の突起部
１８３  第２の突起部
１８４  第２の突起部
１８５  第２の突起部
１８６  第２の突起部
１９０  巾木
１９１  床部材
１９２  壁部材
１９３  上面
１９４  釘
１９５  間隙
１９６  フェルト下地材
１９７  カーペット
１９８  巾木
１９９  巾木
２００  ピン付きグリッパー
２０１  木質板
２０２  ピン
２０３  釘
２０４  ピンレスグリッパー
２０５  木質板
２０６  釘
２０７  フェルト下地材
２０８  カーペット
２０９  接着剤
２１０  間隙
【図１】
2018033490.tif 000003
【図２】
2018033490.tif 000004
【図３】
2018033490.tif 000005
【図４】
2018033490.tif 000006
【図５】
2018033490.tif 000007
【図６】
2018033490.tif 000008
【図７】
2018033490.tif 000009
【図８】
2018033490.tif 000010
【図９】
2018033490.tif 000011
【図１０】
2018033490.tif 000012
【図１１】
2018033490.tif 000013
【図１２】
2018033490.tif 000014
【図１３】
2018033490.tif 000015